(57)【特許請求の範囲】
【請求項１】
動脈側血液回路及び静脈側血液回路を有するとともに、当該動脈側血液回路の先端から静脈側血液回路の先端まで患者の血液を体外循環させ得る血液回路と、
該血液回路の動脈側血液回路及び静脈側血液回路の間に介装されて当該血液回路を流れる血液を浄化し得る血液浄化手段と、
前記動脈側血液回路に配設されて血液回路内で血液を送液するための血液ポンプと、
前記血液回路に接続され、当該血液回路を流れる血液に含まれた空気を捕集し得るエアトラップチャンバと、
を具備した血液浄化装置において、
前記エアトラップチャンバは、補液を注入し得る補液注入手段が接続され、血液層の上部に補液層を形成可能とされるとともに、当該エアトラップチャンバに形成される血液層と補液層との界面を検知し得る血液界面検知手段を具備し、当該血液界面検知手段により検知された血液層と補液層との界面に基づいて前記エアトラップチャンバ内の補液の不足を検知し、前記エアトラップチャンバ内の補液の不足が検知された際、検知された補液の不足を解消するために、前記血液ポンプ又は補液注入手段を制御して前記血液層を減少又は前記補液層を増大させることを特徴とする血液浄化装置。
【請求項２】
前記エアトラップチャンバ内の補液の不足が検知された際、検知された補液の不足を解消するために、前記補液が不足している旨の表示を行わせるモニタを具備したことを特徴とする請求項１記載の血液浄化装置。
【請求項３】
前記血液界面検知手段は、前記エアトラップチャンバの外部側面から非接触、且つ、所定のデューティー比をもって前記血液層と補液層との界面を検知し得ることを特徴とする請求項１又は請求項２記載の血液浄化装置。
【請求項４】
前記エアトラップチャンバは、前記補液層の上部に空気層を形成可能とされ、当該空気層に対して空気を注入又は排出し得る空気量調整手段が接続されるとともに、当該エアトラップチャンバに形成される補液層と空気層との界面を検知し得る空気界面検知手段を具備したことを特徴とする請求項１〜３の何れか１つに記載の血液浄化装置。
【発明の詳細な説明】
【技術分野】
【０００１】
本発明は、ダイアライザを使用した透析治療など、患者の血液を体外循環させつつ浄化するための血液浄化装置に関するものである。
【背景技術】
【０００２】
一般に、透析治療時においては、採取した患者の血液を体外循環させて再び体内に戻すための血液回路が用いられており、かかる血液回路は、例えば中空糸膜を具備したダイアライザ（血液浄化手段）と接続し得る動脈側血液回路及び静脈側血液回路から主に構成されている。これら動脈側血液回路及び静脈側血液回路の各先端には、動脈側穿刺針及び静脈側穿刺針が取り付けられ、それぞれが患者に穿刺されて透析治療における血液の体外循環が行われることとなる。
【０００３】
このうち、動脈側血液回路には、しごき型の血液ポンプが配設されており、動脈側穿刺針及び静脈側穿刺針を患者に穿刺した状態において当該血液ポンプを駆動させることにより、患者の体内から採取された血液を体外循環させつつダイアライザに送り込み得るようになっている。さらに、動脈側血液回路及び静脈側血液回路には、動脈側エアトラップチャンバ及び静脈側エアトラップチャンバがそれぞれ接続されており、体外循環した血液が除泡（気泡の除去）された後に患者の体内に戻されるよう構成されている。
【０００４】
従来のエアトラップチャンバとして、例えば特許文献１、２にて開示されているように、上から順に空気層、補液層（生理食塩液等の層）及び血液層を形成し得る収容空間を有したチャンバから成り、血液回路にて流通する血液に含まれる空気を空気層で捕捉して除去するものが挙げられる。すなわち、血液層と空気層との間に補液層を介在させることにより、血液層の血液が空気層の空気に直接触れてしまうのを回避することができ、血液凝固を抑制することができるのである。
【先行技術文献】
【特許文献】
【０００５】
【特許文献１】実用新案登録３１２８７２４号公報
【特許文献２】特表２００５−５３０５４３号公報
【発明の概要】
【発明が解決しようとする課題】
【０００６】
上記従来の血液浄化装置においては、以下の問題があった。
すなわち、血液を血液回路にて体外循環させる過程で、エアトラップチャンバ内の補液層の補液が血液層の血液に徐々に拡散して補液が不足してしまい、血液凝固を防止する効果が低減してしまう虞がある。しかしながら、従来の血液浄化装置においては、医療従事者等がエアトラップチャンバを目視して補液の不足を把握するものであったため、補液の不足を素早く、且つ、正確に把握することができず、補液の不足に対する対処が遅れてしまうという不具合があった。
【０００７】
本発明は、このような事情に鑑みてなされたもので、エアトラップチャンバ内の補液の不足を素早く、且つ、正確に把握することができる血液浄化装置を提供することにある。
【課題を解決するための手段】
【０００８】
請求項１記載の発明は、動脈側血液回路及び静脈側血液回路を有するとともに、当該動脈側血液回路の先端から静脈側血液回路の先端まで患者の血液を体外循環させ得る血液回路と、該血液回路の動脈側血液回路及び静脈側血液回路の間に介装されて当該血液回路を流れる血液を浄化し得る血液浄化手段と、前記動脈側血液回路に配設されて血液回路内で血液を送液するための血液ポンプと、前記血液回路に接続され、当該血液回路を流れる血液に含まれた空気を捕集し得るエアトラップチャンバとを具備した血液浄化装置において、前記エアトラップチャンバは、補液を注入し得る補液注入手段が接続され、血液層の上部に補液層を形成可能とされるとともに、当該エアトラップチャンバに形成される血液層と補液層との界面を検知し得る血液界面検知手段を具備し、当該血液界面検知手段により検知された血液層と補液層との界面に基づいて前記エアトラップチャンバ内の補液の不足を検知し、前記エアトラップチャンバ内の補液の不足が検知された際、検知された補液の不足を解消するために、前記血液ポンプ又は補液注入手段を制御して前記血液層を減少又は前記補液層を増大させることを特徴とする。
【０００９】
請求項２記載の発明は、請求項１記載の血液浄化装置において、前記エアトラップチャンバ内の補液の不足が検知された際、検知された補液の不足を解消するために、前記補液が不足している旨の表示を行わせるモニタを具備したことを特徴とする。
【００１１】
請求項３記載の発明は、請求項１又は請求項２記載の血液浄化装置において、前記血液界面検知手段は、前記エアトラップチャンバの外部側面から非接触、且つ、所定のデューティー比をもって前記血液層と補液層との界面を検知し得ることを特徴とする。
【００１２】
請求項４記載の発明は、請求項１〜３の何れか１つに記載の血液浄化装置において、前記エアトラップチャンバは、前記補液層の上部に空気層を形成可能とされ、当該空気層に対して空気を注入又は排出し得る空気量調整手段が接続されるとともに、当該エアトラップチャンバに形成される補液層と空気層との界面を検知し得る空気界面検知手段を具備したことを特徴とする。
【発明の効果】
【００１３】
請求項１の発明によれば、エアトラップチャンバは、補液を注入し得る補液注入手段が接続され、血液層の上部に補液層を形成可能とされるとともに、当該エアトラップチャンバに形成される血液層と補液層との界面を検知し得る血液界面検知手段を具備し、当該血液界面検知手段により検知された血液層と補液層との界面に基づいて前記エアトラップチャンバ内の補液の不足を検知するので、エアトラップチャンバ内の補液の不足を素早く、且つ、正確に把握することができる。
また、エアトラップチャンバ内の補液の不足が検知された際、検知された補液の不足を解消するために、血液ポンプ又は補液注入手段を制御して血液層を減少又は補液層を増大させるので、エアトラップチャンバ内の補液の不足を自動的に解消させることができる。
【００１４】
請求項２の発明によれば、エアトラップチャンバ内の補液の不足が検知された際、所定の報知を行わせ得るので、エアトラップチャンバ内の補液の不足をより素早く、且つ、正確に把握することができる。
【００１６】
請求項３の発明によれば、血液界面検知手段は、エアトラップチャンバの外部側面から非接触、且つ、所定のデューティー比をもって血液層と補液層との界面を検知し得るので、血液ポンプの駆動により生じる脈動等によって補液の不足を誤検出してしまうのを抑制でき、精度をより向上させることができる。
【００１７】
請求項４の発明によれば、エアトラップチャンバは、補液層の上部に空気層を形成可能とされ、当該空気層に対して空気を注入又は排出し得る空気量調整手段が接続されるとともに、当該エアトラップチャンバに形成される補液層と空気層との界面を検知し得る空気界面検知手段を具備したので、空気量調整手段によってエアトラップチャンバ内の空気層の界面を適正な位置とすることができ、補液層を適切に確保することができる。
【図面の簡単な説明】
【００１８】
【図１】本発明の実施形態に係る血液浄化装置を示す模式図
【図２】同血液浄化装置における透析装置本体を示す正面図及び側面図
【図３】同透析装置本体を示す平面図
【図４】同血液浄化装置におけるエアトラップチャンバを示す模式図
【図５】同血液浄化装置における他の形態のエアトラップチャンバを示す模式図
【図６】本発明の他の実施形態に係る血液浄化装置を示す模式図
【図７】本発明の更に他の実施形態に係る血液浄化装置を示す模式図
【発明を実施するための形態】
【００１９】
以下、本発明の実施形態について図面を参照しながら具体的に説明する。
本実施形態に係る血液浄化装置は、透析治療を行うための透析装置から成り、図１〜３に示すように、血液回路１と、血液浄化器としてのダイアライザ２と、エアトラップチャンバ５と、血液界面検知手段６と、空気界面検知手段７と、空気量調整手段８と、モニタＭ（図２、３参照）及び制御部Ｅ等を具備した透析装置本体Ａとを有して構成されている。なお、図１中符号Ｇは、血液凝固阻止剤を血液回路１内に注入するためのシリンジを示している。
【００２０】
ダイアライザ２は、微小孔（ポア）が形成された複数の中空糸を筐体部に収容して成るものであり、その筐体部に、血液導入ポート２ａ、血液導出ポート２ｂ、透析液導入ポート２ｃ及び透析液導出ポート２ｄが形成されている。また、血液回路１は、先端に動脈側穿刺針が取り付け可能とされた動脈側血液回路１ａと、先端に静脈側穿刺針が取り付け可能とされた静脈側血液回路１ｂとを有した可撓性チューブから構成されたもので、動脈側血液回路１ａの基端がダイアライザ２の血液導入ポート２ａに接続されるとともに、静脈側血液回路１ｂの基端がダイアライザ２の血液導出ポート２ｂに接続されている。
【００２１】
さらに、本透析装置には、ダイアライザ２に透析液を導入する透析液導入チューブＬ１と、ダイアライザ２から透析液（排液）を導出する透析液導出チューブＬ２とを取り付け可能とされており、透析液導入チューブＬ１の先端がダイアライザ２の透析液導入ポート２ｃに接続されるとともに、透析液導出チューブＬ２の先端がダイアライザ２の透析液導出ポート２ｄに接続されている。また、本実施形態においては、透析液導入チューブＬ１と静脈側血液回路１ｂとを接続する補液導入チューブＬ３が形成されている。なお、血液回路１を構成する動脈側血液回路１ａ及び静脈側血液回路１ｂ、透析液導入チューブＬ１、透析液導出チューブＬ２並びに補液導入チューブＬ３は、何れも液体が流通し得る可撓性チューブから成るものである。
【００２２】
またさらに、動脈側血液回路１ａの途中には、血液ポンプＰ１が配設されている。かかる血液ポンプＰ１は、ケースＣが取り付けられる部位（図３参照）に配設されたもので、ステータの内周面内で回転するロータと、ロータに形成された一対のローラとを具備して構成されており、液体の流通方向にロータが回転して動脈側血液回路１に接続された被しごき用可撓性チューブＤ１を一対のローラがそれぞれしごくことにより送液可能とされたしごき型ポンプから成る。
【００２３】
また、図３に示すように、被しごき用可撓性チューブＤ２は、透析液導入チューブＬ１の途中に接続されるとともに、被しごき用可撓性チューブＤ３は、補液導入チューブＬ３の途中に接続され、本透析装置に配設されたしごき型ポンプＰ２、Ｐ３にそれぞれ取り付けられる。さらに、被しごき用可撓性チューブＤ４は、透析液導出チューブＬ２の途中に接続され、本透析装置に配設されたしごき型ポンプＰ４に取り付けられる。そして、しごき型ポンプＰ４の駆動によって排液を系外に排出し得るよう構成されている。
【００２４】
しごき型ポンプＰ２〜Ｐ４は、血液ポンプＰ１と同様、ケースＣが取り付けられる部位（図３参照）に配設されたもので、ステータの内周面内で回転するロータと、ロータに形成された一対のローラとを具備して構成されており、液体の流通方向にロータが回転して流路に接続された被しごき用可撓性チューブ（Ｄ２〜Ｄ４）を一対のローラがそれぞれしごくことにより送液可能とされたものである。なお、しごき型ポンプＰ２〜Ｐ４の具体的な構成については、血液ポンプＰ１と同様であるため、詳細な説明を省略する。
【００２５】
このように、本透析装置には、血液ポンプＰ１及びしごき型ポンプ（Ｐ２〜Ｐ４）が配設されるとともに、ケースＣには、各流路が接続された状態の被しごき用可撓性チューブ（Ｄ１〜Ｄ４）が形成されており、本透析装置にケースＣを取り付けると、被しごき用可撓性チューブＤ１が血液ポンプＰ１に対してセット状態とされるとともに、被しごき用可撓性チューブ（Ｄ２〜Ｄ４）がしごき型ポンプＰ２〜Ｐ４に対してそれぞれセット状態とされるようになっている。
【００２６】
しかして、ケースＣを本透析装置における血液ポンプＰ１及びしごき型ポンプＰ２〜Ｐ４が配設された部位（ステータ）に嵌合して取り付け（図２、３参照）、カバーＨを閉じることにより、被しごき用可撓性チューブ（Ｄ１〜Ｄ４）が血液ポンプＰ１及びしごき型ポンプ（Ｐ２〜Ｐ４）に一括して取り付けられるようになっている。そして、動脈側穿刺針及び静脈側穿刺針を患者に穿刺した後、血液ポンプＰ１（血液ポンプ）を駆動させると、動脈側血液回路１ａ及び静脈側血液回路１ｂにおいて患者の血液を体外循環させ得るようになっている。
【００２７】
一方、透析液導入チューブＬ１の基端には、ダイアライザ２に供給するための透析液を収容した収容バッグＢ１が接続されている。なお、透析液導入チューブＬ１の途中には、透析液を加温するための加温バッグ（不図示）等が接続されており、収容バッグＢ２には、しごき型ポンプＰ５にて送液可能な可撓性チューブ（不図示）が接続されている。そして、しごき型ポンプＰ２を駆動させると、収容バッグＢ１の透析液がダイアライザ２に向かって流れるとともに、ダイアライザ２の透析液（排液）が透析液導出チューブＬ２を流れて外部に排出されることとなる。収容バッグＢ１は、本透析装置に形成されたフックＦにそれぞれ引っ掛けられるとともに、重量計３にてリアルタイムに重量が計測されるよう構成されている。これにより、設定された流量にて透析液をダイアライザ２に供給し、当該ダイアライザ２から透析液を排出させることができる。
【００２８】
本実施形態においては、透析液導入チューブＬ１から分岐した補液導入チューブＬ３に被しごき用可撓性チューブＤ３が接続されており、この被しごき用可撓性チューブＤ３がしごき型ポンプＰ３に取り付けられている。そして、しごき型ポンプＰ２、Ｐ３を駆動させることにより、収容バッグＢ１の透析液を静脈側血液回路１ｂに接続されたエアトラップチャンバ５に供給して補液層を形成することができるようになっている。しごき型ポンプＰ３は、本発明における「補液を注入し得る補液注入手段」に相当する。なお、動脈側血液回路１ａにエアトラップチャンバ５を接続するよう構成し、そのエアトラップチャンバ５に補液導入チューブＬ３の先端を接続して透析液を供給するようにしてもよい。
【００２９】
エアトラップチャンバ５は、図２に示すように、ケースＣに取り付けられており、補液導入チューブＬ３及び血液回路１（静脈側血液回路１ｂ）がそれぞれ接続されるようになっている。かかるエアトラップチャンバ５は、血液を流通させる血液回路１（静脈側血液回路１ｂ）に接続されて上から順に空気層、補液層及び血液層を形成し得る収容空間を有したチャンバから成り、当該血液回路１にて流通する血液に含まれる空気を空気層で捕捉して除去するためのもので、図４に示すように、血液流入口５ａ及び血液流出口５ｂと、補液流入口５ｃと、空気流出入口５ｄとを有して構成されている。
【００３０】
血液流入口５ａ及び血液流出口５ｂは、静脈側血液回路１ｂとの接続部位から成り、エアトラップチャンバ５内に血液を流入又は流出させる部位である。補液流入口５ｃは、補液導入チューブＬ３との接続部位から成り、エアトラップチャンバ５内に補液を流入させる部位である。さらに、エアトラップチャンバ５の上部（空気層）には、空気を流通させるための空気流通チューブＬ４が接続されてり、空気流出入口５ｄ、当該空気流通チューブＬ４との接続部位から成る。
【００３１】
空気流通チューブＬ４には、空気層に対して空気を注入又は排出し得る空気量調整手段８が接続されている。例えば、空気流通チューブＬ４は、先端が大気開放状態とされた可撓性チューブ等の流路から成り、その途中に、しごきポンプから成る空気量調整手段８を配設している。かかる空気量調整手段８は、正転駆動及び逆転駆動可能なしごき部を有し、当該しごき部が空気流通チューブＬ４をその長手方向に向かってしごくことで、エアトラップチャンバ５の上部に対する空気の注入又は排出を任意に行い得るよう構成されている。
【００３２】
しかして、空気量調整手段８を正転駆動（エアトラップチャンバ５に空気を注入する方向の回転）させると、空気流通チューブＬ４の先端から空気が吸引されるので、エアトラップチャンバ５に空気が注入されて空気層の界面の位置を下降させるとともに、空気量調整手段８を逆転駆動（エアトラップチャンバ５から空気を排出する方向の回転）させると、空気流通チューブＬ４の先端から空気が排出されるので、エアトラップチャンバ５から空気が排出されて空気層の界面の位置を上昇させることができる。本実施形態に係る空気量調整手段８は、上記の如く正転駆動又は逆転駆動可能なしごき部を有するものとされているが、本発明はこれに限定されず、エアトラップチャンバ５の空気層に対して空気を注入又は排出し得るものであれば、他の形態のものであってもよい。
【００３３】
上記のエアトラップチャンバ５に代えて、例えば図５に示すようなエアトラップチャンバ５’としてもよい。かかるエアトラップチャンバ５’は、血液流入口５’ａ及び補液流入口５’ｃが当該エアトラップチャンバ５の内部に位置するとともに、補液流入口５’ｃの方が血液流入口５’ａより高い位置に形成されている。なお、血液流出口５’ｂ及び空気流出入口５’ｄは、上記のエアトラップチャンバ５と同様である。このようなエアトラップチャンバ５’によっても、その収容空間内において上から順に空気層、補液層及び血液層を形成することができる。
【００３４】
血液界面検知手段６は、エアトラップチャンバ５に形成される血液層と補液層との界面を検知し得るもので、本実施形態においては、エアトラップチャンバ５の外部側面から非接触にて血液層と補液層との界面を検知し得る光センサにて構成されている。具体的には、血液界面検知手段６は、エアトラップチャンバ５を挟んで水平方向（エアトラップチャンバ５の径方向）に配設された一対の発光素子及び受光素子を有して構成されている。
【００３５】
発光素子は、例えば近赤外線を照射し得るＬＥＤ（近赤外線ＬＥＤ）から成り、受光素子は、フォトダイオードから成るものとされている。そして、発光素子から光を照射すると、その光がエアトラップチャンバ５を径方向に通過して受光素子で受光されるよう構成（所謂透過型センサの構成）されている。そして、補液と血液とでは光の透過量が相違するので、受光素子で生じた受光電圧に基づき、血液層と補液層との界面を検知することができるのである。なお、本実施形態においては、血液界面検知手段６が上記の如き所謂透過型センサにて構成されているが、エアトラップチャンバ５内で反射した光を受光して血液層と補液層との界面を検知する構成（所謂反射型センサの構成）としてもよい。なお、血液界面検知手段６を超音波センサから成るものとし、超音波の透過又は反射を検出することにより、血液層と補液層との界面を検知するよう構成してもよい。
【００３６】
さらに、本実施形態においては、受光素子で生じた受光電圧に対し、所定のデューティー比をもって血液層と補液層との界面を検知し得るよう構成されている。これにより、血液ポンプＰ１の駆動により生じた脈動によって血液層と補液層との界面が周期的に上下しても、誤検出を防止して精度よく界面を検知することができる。また、血液層の血液から空気層に向かって気泡（空気）が上昇する際、その気泡に僅かな血液が伴って補液層に上昇することがあり、界面を誤検出してしまう虞があるが、所定のデューティー比をもって血液層と補液層との界面を検知すれば、当該誤検出を抑制できる。
【００３７】
空気界面検知手段７は、エアトラップチャンバ５に形成される補液層と空気層との界面を検知し得るもので、本実施形態においては、エアトラップチャンバ５の外部側面から非接触にて補液層と空気層との界面を検知し得る超音波センサにて構成されている。具体的には、空気界面検知手段７は、エアトラップチャンバ５を挟んで水平方向（エアトラップチャンバ５の径方向）に配設された一対の超音波振動素子及び超音波受信素子を有して構成されている。
【００３８】
そして、エアトラップチャンバ５に向けて超音波振動素子から超音波を照射させ得るとともに、その振動を超音波受信素子にて受け得るようになっている。この超音波受信素子は、その受信した振動に応じて電圧が変化するよう構成されており、当該電圧に基づいてエアトラップチャンバ５に形成される補液層と空気層との界面を検知し得るよう構成されている。すなわち、補液に比べ空気の方が超音波の減衰率が高いので、超音波受信素子により検出された電圧に基づいて補液層と空気層との界面を検知することができるのである。
【００３９】
空気界面検知手段７は、図６に示すように、上部に配設された一対の超音波振動素子及び超音波受信素子から成る上部位置センサ７ａと、下部に配設された一対の超音波振動素子及び超音波受信素子から成る下部位置センサ７ｂとを有するものとしてもよい。この場合、上部位置センサ７ａは、空気層の上限位置に設定されるとともに、下部位置センサ７ｂは、空気層の下限位置に設定されるよう構成されている。
【００４０】
さらに、本実施形態においては、超音波受信素子により検出された電圧に対し、所定のデューティー比をもって補液層と空気層との界面を検知し得るよう構成されている。これにより、血液ポンプＰ１の駆動により生じた脈動によって補液層と空気層との界面が周期的に上下しても、誤検出を防止して精度よく界面を検知することができる。なお、空気界面検知手段７を光センサから成るものとし、光の透過又は反射を検出することにより、補液層と空気層との界面を検知するよう構成してもよい。
【００４１】
またさらに、血液界面検知手段６又は空気界面検知手段７は、上記の如く光センサや超音波センサに限らず、エアトラップチャンバ５の外部側面を撮像し、その画像を分析することによって血液層と補液層との界面又は補液層と空気層との界面を検知するよう構成してもよい。この場合であっても、分析された画像に対し、所定のデューティー比をもって血液層と補液層との界面又は補液層と空気層との界面を検知するのが好ましい。
【００４２】
ここで、本実施形態においては、血液界面検知手段６、空気界面検知手段７、空気量調整手段８、血液ポンプＰ１及びしごき型ポンプＰ３（補液注入手段）は、それぞれ制御部Ｅに電気的に接続されている。制御部Ｅは、透析装置本体Ａに配設されたマイコン等から成るもので、血液界面検知手段６により検知された血液層と補液層との界面に基づいてエアトラップチャンバ５内の補液の不足を検知し得るとともに、エアトラップチャンバ５内の補液の不足が検知された際、所定の報知を行わせ得るものである。かかる所定の報知は、例えば透析装置本体Ａに配設されたモニタＭにて補液が不足している旨の表示を行わせたり、或いは警告灯の点灯又は点滅、スピーカからの警告音の出力等によって行われる。
【００４３】
さらに、制御部Ｅは、エアトラップチャンバ５内の補液の不足が検知された際、血液ポンプＰ１又はしごき型ポンプＰ３（補液注入手段）を制御して当該エアトラップチャンバ５内の血液層を減少又は補液層を増大させるようになっている。すなわち、血液ポンプＰ１の駆動を停止又は血液の流量を低下させることにより、エアトラップチャンバ５内の血液層を減少させることにより、補液層を相対的に増大させて補液不足の解消を図ることができるとともに、しごき型ポンプＰ３（補液注入手段）の駆動を開始又は補液の流量を増加させることにより、補液層を直接的に増大させて補液不足の解消を図ることができるのである。
【００４４】
上記実施形態に係る血液浄化装置よれば、エアトラップチャンバ５は、補液を注入し得るしごき型ポンプＰ３（補液注入手段）が接続され、血液層の上部に補液層を形成可能とされるとともに、当該エアトラップチャンバ５に形成される血液層と補液層との界面を検知し得る血液界面検知手段６を具備し、当該血液界面検知手段６により検知された血液層と補液層との界面に基づいてエアトラップチャンバ５内の補液の不足を検知可能とされたので、エアトラップチャンバ５内の補液の不足を素早く、且つ、正確に把握することができる。
【００４５】
また、エアトラップチャンバ５内の補液の不足が検知された際、所定の報知を行わせ得るので、エアトラップチャンバ５内の補液の不足をより素早く、且つ、正確に把握することができる。さらに、エアトラップチャンバ５内の補液の不足が検知された際、血液ポンプＰ１又はしごき型ポンプＰ３（補液注入手段）を制御して血液層を減少又は補液層を増大させるので、エアトラップチャンバ５内の補液の不足を自動的に解消させることができる。
【００４６】
またさらに、血液界面検知手段６は、エアトラップチャンバ５の外部側面から非接触、且つ、所定のデューティー比をもって血液層と補液層との界面を検知し得るので、血液ポンプＰ１の駆動により生じる脈動等によって補液の不足を誤検出してしまうのを抑制でき、精度をより向上させることができる。加えて、エアトラップチャンバ５は、補液層の上部に空気層を形成可能とされ、当該空気層に対して空気を注入又は排出し得る空気量調整手段８が接続されるとともに、当該エアトラップチャンバ５に形成される補液層と空気層との界面を検知し得る空気界面検知手段７を具備したので、空気量調整手段８によってエアトラップチャンバ５内の空気層の界面を適正な位置とすることができ、補液層を適切に確保することができる。
【００４７】
以上、本実施形態について説明したが、本発明はこれに限定されるものではなく、例えば図７に示すように、しごき型ポンプＰ３（補液注入手段）を駆動させることにより、収容バッグＢ２に収容された生理食塩液等の補液を静脈側血液回路１ｂに接続されたエアトラップチャンバ５に供給して補液層を形成し得るとともに、エアトラップチャンバ５に形成される血液層と補液層との界面を検知し得る血液界面検知手段６を具備したものとしてもよい。
【００４８】
また、血液界面検知手段６により検知された血液層と補液層との界面に基づいてエアトラップチャンバ５内の補液の不足を検知可能であれば足り、エアトラップチャンバ５内の補液の不足が検知された際、所定の報知のみ行わせて血液ポンプＰ１又はしごき型ポンプＰ３（補液注入手段）の駆動を制御しないもの、所定の報知を行わせずに血液ポンプＰ１又はしごき型ポンプＰ３（補液注入手段）の駆動を制御するものとしてもよい。また、エアトラップチャンバ５内の補液の不足が検知された際、その補液の不足を解消すべき何らかの対処を可能とするものであれば、所定の報知、血液ポンプＰ１又はしごき型ポンプＰ３（補液注入手段）の駆動の制御を何れも行わないものであってもよい。
【００４９】
またさらに、血液界面検知手段６又は空気界面検知手段７は、光センサ及び超音波センサに限らず、電磁波を照射して非接触にて界面を検知し得るものであれば、他の形態のものであってもよく、所定のデューティー比をもたずに界面を検知するものであってもよい。なお、本実施形態においては、血液透析治療時に用いられる透析装置に適用しているが、患者の血液を体外循環させつつ浄化し得る他の装置（例えば血液濾過透析法、血液濾過法、ＡＦＢＦで使用される血液浄化装置、血漿吸着装置など）に適用してもよい。
【産業上の利用可能性】
【００５０】
エアトラップチャンバは、補液を注入し得る補液注入手段が接続され、血液層の上部に補液層を形成可能とされるとともに、当該エアトラップチャンバに形成される血液層と補液層との界面を検知し得る血液界面検知手段を具備し、当該血液界面検知手段により検知された血液層と補液層との界面に基づいてエアトラップチャンバ内の補液の不足を検知し、エアトラップチャンバ内の補液の不足が検知された際、検知された補液の不足を解消するために、血液ポンプ又は補液注入手段を制御して血液層を減少又は補液層を増大させる血液浄化装置であれば、他の機能を有するもの等にも適用することができる。
【符号の説明】
【００５１】
１    血液回路
２    ダイアライザ（血液浄化器）
３    重量計
４    重量計
５    エアトラップチャンバ
６    血液界面検知手段
７    空気界面検知手段
８    空気量調整手段
Ｐ１  血液ポンプ
Ｐ３  しごき型ポンプ（補液注入手段）
【図１】
0006517023.tif 000002
【図２】
0006517023.tif 000003
【図３】
0006517023.tif 000004
【図４】
0006517023.tif 000005
【図５】
0006517023.tif 000006
【図６】
0006517023.tif 000007
【図７】
0006517023.tif 000008